(57)【特許請求の範囲】
【請求項１】
塗布液を内部に貯蔵する軸筒と、該軸筒の尾端に設けられたノック部と、該ノック部に連動する連結部材とを備え、前記ノック部を軸方向にノックすることにより、前記連結部材を介して内部に設けられた弁を開放させてペン先から塗布液を流出させるようにしたもので、前記ノック部は、前記尾端を塞ぎかつノック操作時に復元可能に変形する弾性体を有し、前記尾端の内周面には、該内周面から内方に向けて突出した部分から軸方向少なくとも一側に向けて屈曲した突起部が全周に亙って合成樹脂材料で一体成形され、前記弾性体は、その外周縁部が前記突起部を密着状態で把持するように弾性材料で成形され、該弾性体の略中央位置に、前記連結部材の後端部と嵌合する先方に開放した凹部が形成されると共に、該凹部の前部に、組み立て時に前記軸筒内に前記連結部材が先方から挿入されたときに該連結部材の後端部を前記凹部の中央位置に誘導する斜面が形成された筆記具、化粧具等の液体塗布具の尾端ノック構造であって、
前記尾端の内周面に形成された突起部には、環状の斜面が形成され、
前記弾性体は、前記突起部の成形後に、前記凹部の前部に形成される斜面を前記突起部の環状の斜面と面一で且つ連続的な斜面に形成するようにしたことを特徴とする筆記具、化粧具等の液体塗布具の尾端ノック構造。
【発明の詳細な説明】
【０００１】
【発明の属する技術分野】
本発明は、筆記具、化粧具等の液体塗布具の尾端ノック構造に関する。
【０００２】
【従来の技術】
従来、インクを直に軸筒内に貯蔵した筆記具や、マニキュア液等の液体化粧料を軸筒内に貯蔵した化粧具等の液体塗布具では、インクやマニキュア液等の吐出量を制御する等の目的で軸筒内部に弁装置が装着されることが多い。この弁の開閉用のノツク機構の一つとしては、軸筒に蛇腹軸部を設け、その蛇腹軸部のスクイズ性を利用して軸方向にノックできるようにしたものがある（実開昭６２−１０９９８０号公報、実公平６−１８６１６号公報参照）。
【０００３】
例えば前記実公平６−１８６１６号公報に示される従来の弁装置は、蛇腹軸部の内面から軸筒内を前方に延びる細径パイプと、この細径パイプの先端に連結された弁棒と、この弁棒に設けられたテーパ状の段部に当接して軸筒内を密閉し、かつ、弁棒が前方へ移動したときには前記段部が離脱する弁座と、弁棒の段部の前面に後端が当接して弁棒を後方に付勢する弁バネと、弁バネの前端を受けると共に中央部に塗布液孔を有するバネ受とから主に構成されている。
【０００４】
この弁装置によれば、使用者は、蛇腹軸部を前方に押圧して細径パイプを介して弁棒を前方に移動させることで、弁棒の段部と弁座との間および塗布液孔を介して、塗布液をペン芯に供給できる。一方、蛇腹軸部が使用者の押圧力から解放されると、弁バネの付勢力により弁棒が後方に移動し、段部と弁座とが当接して軸筒内は密閉される。
【０００５】
通常、この種の液体塗布具の組み立ては、軸筒内に塗布液を充填した後、細径パイプの前端部に弁装置を取り付けた状態で、連結部材となる細径パイプを軸筒内に挿入し、この細径パイプの後端を蛇腹軸部の内面に当接させるようにしている。この組み立てに際しては、使用時に良好なノック操作が得られるよう前記細径パイプの後端を蛇腹軸部の内面の中央に位置させることが望ましい。
【０００６】
【発明が解決しようとする課題】
しかしながら、前記従来の液体塗布具においては、組み立て時に細径パイプが軸筒内で傾斜した場合、蛇腹軸部の内面の中央に細径パイプの後端を位置させることが難しく、また細径パイプの後端を蛇腹軸部の内面の中央に位置させても、ノック操作時に細径パイプの後端が蛇腹軸部の内面でずれる恐れもある。
【０００７】
本発明は、前記従来の問題点に鑑みてなされたものであって、組み立て時に連結部材の後端を容易にノック部の中央に位置させると共に、連結部材の後端部をノック部に確実に保持させる筆記具、化粧具等の液体塗布具の尾端ノック構造を提供することを目的とする。
【０００８】
【課題を解決するための手段】
本発明は、前記目的を達成するため、次のような構成を有する。
すなわち、本発明は、塗布液を内部に貯蔵する軸筒と、該軸筒の尾端に設けられたノック部と、該ノック部に連動する連結部材とを備え、前記ノック部を軸方向にノックすることにより、前記連結部材を介して内部に設けられた弁を開放させてペン先から塗布液を流出させるようにしたもので、前記ノック部は、前記尾端を塞ぎかつノック操作時に復元可能に変形する弾性体を有し、前記尾端の内周面には、該内周面から内方に向けて突出した部分から軸方向少なくとも一側に向けて屈曲した突起部が全周に亙って合成樹脂材料で一体成形され、前記弾性体は、その外周縁部が前記突起部を密着状態で把持するように、弾性材料で成形され、該弾性体の略中央位置に、前記連結部材の後端部と嵌合する先方に開放した凹部が形成されると共に、該凹部の前部に、組み立て時に前記軸筒内に前記連結部材が先方から挿入されたときに該連結部材の後端部を前記凹部の中央位置に誘導する斜面が形成された筆記具、化粧具等の液体塗布具の尾端ノック構造であって、前記尾端の内周面に形成された突起部には、環状の斜面が形成され、前記弾性体は、前記突起部の成形後に、前記凹部の前部に形成される斜面を前記突起部の環状の斜面と面一で且つ連続的な斜面に形成するようにしたことを特徴とする筆記具、化粧具等の液体塗布具の尾端ノック構造である。
【０００９】
本発明によれば、組み立て時に連結部材を軸筒内に先方から挿入したとき、連結部材が軸筒内で軸筒の中心線に対して傾斜しても、連結部材は、前記凹部の前部に形成された斜面によって該凹部に誘導される。したがって、組み立て時に容易にノック部の中央に連結部材の後端を位置させることができるようになる。また、連結部材の後端部が前記凹部に嵌合するので、連結部材はノック操作時であってもノック部に確実に保持されるようになる。
【００１０】
【発明の実施の形態】
以下、図面を参照して本発明の実施形態を説明する。
図は本発明の実施形態である筆記具を示したものである。
第１実施形態の筆記具は、図１に示すように、インク（塗布液の一例）を内部に貯蔵する軸筒１を備えた筆記具であって、尾端に設けられたノック部２７を軸方向にノックすることにより、内部に設けられた弁を開放させてペン先から塗布液を流出させるものである。
【００１１】
筆記具は、前記軸筒１と、ノック時には前方に押圧されて筆記具内容積を減少させる前記ノック部２７と、ノック部２７に後端部が連結され軸筒１内を前方に延びる細径パイプ７と、細径パイプ７の前端部に連結されると共に、軸径方向に突出した太径部６ａを有する弁棒６と、軸筒１の前端開口に固着されると共に太径部６ａよりも後方位置で弁棒６を摺動自在に保持し、かつ、非ノック時には太径部６ａが当接しノック時には離脱する弁座２とを備える。さらに、筆記具は、後端が太径部６ａに当接して弁棒６を後方に付勢する弁バネ８と、弁バネ８の前端を支持するように弁座２の前端部に嵌入されると共に、弁棒６の前端部を案内する案内孔３ｃを有するバネ受３と、案内孔３ｃの前方に配置され、かつ、ノック時には太径部６ａと弁座２との隙間および案内孔３ｃと弁棒６との隙間を通じてインクが軸筒１内から供給されるペン芯１０とを備える。
【００１２】
各部の構成を詳細に説明する。軸筒１は、図１に示すように、合成樹脂製で前後両端が開口している。そして、軸筒１における弁座２の後方空間がインクタンク４とされ、その内部にはインク撹拌用ボール５が遊動自在に装入されている。
【００１３】
弁棒６は、前後方向略中央部に太径部６ａを有し、その太径部６ａの前端に前方へ向いた段部６ｂを有する。太径部６ａの後端は、テーパ状に縮径する段部６ｃとなっており、その段部６ｃの後方には細径部６ｄが延長されている。さらに細径部６ｄの後端には、連結小径部６ｅが形成されている。また、細径部６ｄは、弁座２の後端面を貫通して後方に突出し、その後端の連結小径部６ｅは、細径パイプ７の前端口に圧入され連結される。
【００１４】
弁座２は、前端に形成された鍔部２ａと、軸筒１の口元部内に位置する太径筒部２ｂと、この太径筒部２ｂの後端からインクタンク４内に突出した小径筒部２ｃと、この小径筒部２ｃの後壁に形成されて弁棒６の細径部６ｄを摺動自在に保持する保持孔２ｄと、太径筒部２ｂと小径筒部２ｃとを連通する弁孔２ｅと、小径筒部２ｃの側壁に設けられた開口２ｆとを備える。
【００１５】
弁孔２ｅの前端開口縁には、弁棒６の段部６ｃが当接・離脱可能になっており、非ノック時にはインクタンク４と太径筒部２ｂ内との連通が遮断される一方、ノック時には弁棒６が前方に移動してインクタンク４と太径筒部２ｂ内とが開口２ｆを介して連通する。
【００１６】
弁バネ８は、弁棒６の前側略半分に嵌装されると共に前端が太径部６ａの段部６ｂに当接することにより、弁棒６を後方に常時付勢している。
【００１７】
バネ受３は、弁座２の鍔部２ａに当接した鍔部３ａと、この鍔部３ａの中心部に形成された前記案内孔３ｃと、弁座２の太径筒部２ｂの前部に嵌入される嵌合部３ｂとを備える。案内孔３ｃは、弁棒６前端の外径よりも大きな内径を有する円孔、あるいは、該円孔の内面に弁棒６に摺接するリブを複数形成したものなどである。
【００１８】
軸筒１の口元部の内周面には、先軸９が固着されており、さらに先軸９の内周面と弁座２の太径筒部２ｂの外周面との間には、スペーサ４１が介在している。このスペーサ４１の前端面と先軸９とは、先軸９内において、弁座２およびバネ受３の鍔部２ａ，３ａを挟持している。先軸９の中心孔には、その内面の所要位置（円周方向の１２０°毎の位置）から中心に向って半径方向に突出したリブ９ａが形成されている。
【００１９】
ペン芯１０は、先軸９のリブ９ａによって把持されており、フェルト、スライバー、毛筆などで構成される。このペン芯１０の後端面は、バネ受３の案内孔３ｃに対向している。先軸９の軸方向の略中央位置には、中間径部９ｂが形成されており、この中間径部９ｂの内孔部にはスポンジ体１１が装着されている。そして、スポンジ体１１の中心孔には、ペン芯１０の後端が嵌入される。なお、軸筒１の前方の先軸９の外周部にはキャップ（図示略）が着脱自在に嵌着される。
【００２０】
（ノック部２７の構成）
ノック部２７は、図１に示すように、軸筒１の尾端部に設けられる。ノック部２７は、軸筒１の尾端を塞ぎかつノック操作時に復元可能に変形する弾性体２８と、弾性体２８の後面に連結すると共に弾性体２８よりも後方で軸筒１の内周面を前後に摺動可能なノックキャップ２４とを有する。
【００２１】
軸筒１は、ノック部２７の誤動作を防止するために後部に設けられたカバー部１５を備え、射出成形で一体成形された合成樹脂成形品である。カバー部１５の周壁には、後方に開放し指が挿入可能な切り欠き１７が設けられている。使用者は、この切り欠き１７に指を逃がしながらカバー部１５を避けてノック操作を行うことができる。
【００２２】
軸筒１の内周面には、該内周面から内方に向けて突出し、さらに該突出した部分から軸方向後側（尾端側）に屈曲した突起部１ｂが全周に亙って一体成形される。突起部１ｂは、断面略Ｌ字状を呈すると共に、その前端面には、軸筒１の内周面から後方に傾斜した円環状の斜面４８が形成されている。また、軸筒１の突起部１ｂよりも先方の内周面は、該内周面を形成する金型のコアを先方に離型可能とする形状となっている。すなわち、軸筒１の突起部１ｂよりも先方の内周面は、略同一の内径寸法で構成されていて、段部の無い円筒面となっている。なお、前記先軸９と軸筒１との固定手段については、先軸９の外周面を軸筒１の内周面に圧入する固定手段、先軸９の外周面と軸筒１の内周面とを超音波溶着する固定手段、先軸９の外周面に雄ネジを形成し軸筒１の内周面に雌ネジを形成して両者を螺合する固定手段、先軸９の内周面に雌ネジを形成し、軸筒１の外周面に雄ネジを形成して両者を螺合する固定手段等の中から適宜に選択可能である。
【００２３】
弾性体２８は、その外周縁部３１Ｂが突起部１ｂを密着状態で把持するように、突起部１ｂの成形後に弾性材料で成形される。また、弾性体２８は、その略中央位置に形成されかつ前記細径パイプ７の後端部と嵌合する凹部４９を備える。凹部４９は、先方に開放した断面略円形の袋状のものである。この凹部４９の前部には、組み立て時に軸筒１内に細径パイプ７が先方から挿入されたときに細径パイプ７の後端部を凹部４９の中央位置に誘導する斜面５０が形成されている。斜面５０は、図２に示すように、前記突起部１ｂの環状の斜面４８と面一に形成された前側斜面５０ａと、この前側斜面５０ａの後側に形成されると共に前側斜面５０ａよりも軸方向に近い傾斜角度を持つ後側斜面５０ｂとから構成される。このように構成された弾性体２８は、二色成形機によって、軸筒１の成形後に軸筒１内に弾性材料で異種成形される。なお、弾性体２８はエラストマー等のゴム材からなる。
【００２４】
ノックキャップ２４は、図１に示すように、後方に向けてやや縮径したテーパ状の成形品であり、内側に筒状のリブ２４ａを備える。ノックキャップ２４は、そのリブ２４ａが前記弾性体２８の凹部４９の外側に嵌合すると共に、カバー部１５の内周面に突設された突起２５によって軸筒１内に保持される。
【００２５】
なお、筆記具の組み立ては次のように行われる。まず、弁棒６、弁バネ８、弁座２、バネ受３、スポンジ体１１およびスペーサ４１を先軸９内に組み付けると共に細径パイプ７を弁棒６に連結する。その状態で、細径パイプ７を軸筒１の先方から軸筒１内へ挿入して弾性体２８の凹部４９に嵌合させ、その後、先軸９を適当な固定手段で軸筒１に固定する。
【００２６】
以上のような構成を有する第１実施形態によれば、ノック部２７のノックキャップ２４を軸方向にノツクして弾性体２８を変形させることにより、細径パイプ７が押圧されて前進する。この細径パイプ７の前進により、弁棒６は、弁座２の保持孔２ｄおよびバネ受３の案内孔３ｃに支持された状態で、弁バネ８を圧縮させながら前進する。この弁棒６の前進により、弁座２の弁孔２ｅの前端開口縁から弁棒６の段部６ｃが離脱する。この弁の開放、および、弾性体２８の変形によるインクタンク４の内容積減少により、インクタンク４内のインクは、開口２ｆおよび弁孔２ｅを介して弁座２の太径筒部２ｂ内に流入し、バネ受３の案内孔３ｃと弁棒６の前端部との隙間からスポンジ体１１を経てペン芯１０に供給される。
【００２７】
そして、組み立て時に細径パイプ７を軸筒１内に先方から挿入したとき、図２に示すように細径パイプ７が軸筒１内で軸筒１の中心線に対して傾斜しても、細径パイプ７は、前記突起部１ｂの斜面４８、弾性体２８の前側斜面５０ａあるいは後側斜面５０ｂによって、凹部４９の中央位置に誘導される。したがって、組み立て時に容易にノック部２７の中央に細径パイプ７の後端を位置させることができる。また、細径パイプ７の後端部が凹部４９に嵌合するので、ノック操作時であってもノック部２７に細径パイプ７を確実に保持させることができる。
【００２８】
次に、第２実施形態の筆記具を説明する。この第２実施形態は、図３に示すように、軸筒１とは別体の前側尾端軸５１および後側尾端軸５２を備えたものである。
【００２９】
前側尾端軸５１は、図４に示すように、その外周に鍔部５１ａを備え、この鍔部５１ａが軸筒１の尾端に当接するまで軸筒１の尾端部に圧入または螺着等により挿入される。前側尾端軸５１の内周面における後端部には、該内周面から内方に向けて突出し、さらに該突出した部分から軸方向前側に向けて屈曲した突起部５１ｂが全周に亙って合成樹脂材料で一体成形されている。弾性体２８は、その外周縁部３１Ａが突起部５１ｂを密着状態で把持するように、突起部５１ｂの成形後に弾性材料で成形される。弾性体２８の略中央位置には、細径パイプ７の後端部と嵌合する先方に開放した凹部４９が形成されると共に、凹部４９の前部には、組み立て時に軸筒１内に細径パイプ７が先方から挿入されたときに細径パイプ７の後端部を凹部４９の中央位置に誘導する斜面５０が形成される。また、凹部４９の底部には、細径パイプ７の後端開口に嵌合する略円錐台状のパイプ保持用突起５３が一体形成されている。
【００３０】
前記斜面５０は、前記第１実施形態と同様に前側斜面５０ａおよび後側斜面５０ｂから構成されている。前側尾端軸５１の内周面には、前側斜面５０ａと略面一に形成された斜面５４が設けられている。
【００３１】
このように構成された前側尾端軸５１および弾性体２８は、二色成形機により、成形されたものであり、弾性体２８は、前側尾端軸５１を成形後に前側尾端軸５１の内周面に成形される。なお、この第２実施形態では、軸筒１の内周面に突起部がないことから、軸筒１の内周面を形成するコアを軸方向尾端側に離型することができる。したがって、図３に示すように、軸筒１の口元部１ａを小径に形成してこの口元部１ａの外周面に先軸９を固定することができる。この場合には、第１実施形態で用いたスペーサ４１が不要となる。
【００３２】
後側尾端軸５２は、カバー部１５、切り欠き１７を一体に備えてなり、前側尾端軸５１の後部に嵌合されて軸筒１の尾端との間で前側尾端軸５１の鍔部５１ａを挟持する。前側尾端軸５１と後側尾端軸５２との固定については、特に制限はないが、例えば図４に示すように、前側尾端軸５１の後部外周に設けた溝５１ｃに、後側尾端軸５２の前部内周に設けた嵌合突起５２ａを嵌合することにより行う。また、ノックキャップ２４は、後側尾端軸５２の内周面に形成された段部５２ｂにより、後側尾端軸５２内に保持されている。
【００３３】
以上の構成を有する第２実施形態によれば、前記第１実施形態と同様な効果が得られると同時に、前記凹部４９のパイプ保持用突起５３により、より一層確実に細径パイプ７をノック部２７の中央位置に保持させることができる。また、前述のように、軸筒１とは別体の前側尾端軸５１にノック部２７を設けたので、第１実施形態で用いたスペーサ４１を削除することができ、よってペン先における部品点数の削減を図ることもできる。
【００３４】
前記第１実施形態および第２実施形態は、本発明の好適な実施の態様であり、本発明の技術的範囲は、これらの実施形態に限定されない。例えば、本発明の尾端ノック構造は、図５に示すように、先軸９の内部にホルダ５５を介して保持された毛筆１０Ａを備える筆記具など他の液体塗布具にも、広く適用可能である。なお、図５に示す変形例においては、弁座２は前記小径筒部２ｃが削除された形態を有している。また、図５において符号５Ａで示すものは円柱形の撹拌棒，符号５６で示すものはキャップである。
【００３５】
また、本発明に係る突起部は、断面略Ｌ字状に限定されず、軸筒の内周面から内方に向けて突出した後、軸方向両側に屈曲した断面略Ｔ字状のものでもよい。
【００３６】
【発明の効果】
以上の説明の通り、本発明によれば、筆記具、化粧具等の液体塗布具の尾端ノック構造において、組み立て時に連結部材の後端を容易にノック部の中央に位置させることができ、しかも連結部材の後端部をノック部に確実に保持させることができる。
【図面の簡単な説明】
【図１】第１実施形態の筆記具の縦断面図である。
【図２】第１実施形態に係る軸筒および弾性体の縦断面図である。
【図３】第２実施形態の筆記具の縦断面図である。
【図４】第２実施形態に係る軸筒、前側尾端軸、後側尾端軸および弾性体の縦断面図である。
【図５】第２実施形態の変形例に係る筆記具の縦断面図である。
【符号の説明】
１      軸筒
１ｂ    突起部
２      弁座
３      バネ受
６      弁棒
６ａ    太径部
７      細径パイプ（連結部材に相当）
８      弁バネ
１０    ペン芯
１０Ａ  毛筆
２４    ノックキャップ
２７    ノック部
２８    弾性体
３１Ａ  外周縁部
３１Ｂ  外周縁部
４９    凹部
５０    斜面
５０ａ  前側斜面
５０ｂ  後側斜面
５１    前側尾端軸
５１ｂ  突起部
５２    後側尾端軸
【図１】
0003719765.tif 000002
【図２】
0003719765.tif 000003
【図３】
0003719765.tif 000004
【図４】
0003719765.tif 000005
【図５】
0003719765.tif 000006